(57)【要約】インターネットウェブ技術が使用され、より具体的には、ワイヤレスアクセスシステムにおける接続時間、送信データ、セッション時間、及び、切断を把握するためにＲＡＤＩＵＳ（リモート・アクセス・ダイアルイン・ユーザシステム）サーバが使用される。
2004505569.tif 000002
【特許請求の範囲】
【請求項１】
ワイヤレスアクセスネットワークシステムにおける動作方法であって、
（ａ）関連付けられるＲＡＤＩＵＳアカウンティング機能を有するＲＡＤＩＵＳシステムを設ける段階と、
（ｂ）ユーザが、ユーザ装置及び上記ＲＡＤＩＵＳシステムを介しネットワークにアクセスする段階と、
（ｃ）上記ＲＡＤＩＵＳシステムが、上記ユーザによるアクセス活動を把握し、上記ＲＡＤＩＵＳアカウンティング機能に関連付けられるアカウンティングデータベースにそのような活動を記録する段階とを含む方法。
【請求項２】
上記ＲＡＤＩＵＳシステムは、上記ユーザの接続時間を把握する請求項１記載の方法。
【請求項３】
上記ＲＡＤＩＵＳシステムは、上記ユーザの送信データ量を把握する請求項１記載の方法。
【請求項４】
上記アカウンティングデータベースは、上記ユーザが接続を切断すると更新される請求項１乃至３のうちいずれか一項記載の方法。
【請求項５】
上記アカウンティングデータベースは、所定の時間間隔で更新され、それにより、長い継続時間の接続セッションに適応する請求項１乃至４のうちいずれか一項記載の方法。
【請求項６】
上記ＲＡＤＩＵＳシステムは、上記ネットワークシステムのネットワークコントローラから情報を受信する請求項１乃至５のうちいずれか一項記載の方法。
【請求項７】
上記ＲＡＤＩＵＳシステムは、上記ネットワークコントローラにおけるＲＡＤＩＵＳクライアントを含む請求項６記載の方法。
【請求項８】
上記ネットワークシステムは、セルラーワイヤレスインターネットアクセスシステムである請求項１乃至７のうちいずれか一項記載の方法。
【請求項９】
上記ネットワークシステムは、ＵＭＴＳシステムである請求項１乃至８のうちいずれか一項記載の方法。
【請求項１０】
関連付けられるＲＡＤＩＵＳアカウンティング機能を有するＲＡＤＩＵＳシステムを含むワイヤレスアクセスネットワークシステムであって、
上記ＲＡＤＩＵＳシステムは、ユーザがワイヤレスユーザ装置及び上記ＲＡＤＩＵＳシステムを介して上記ネットワークにアクセスするアクセス活動を把握し、上記ＲＡＤＩＵＳアカウンティング機能に関連付けられるアカウンティングデータベースにそのような活動を記録するよう構成されるシステム。
【請求項１１】
上記ＲＡＤＩＵＳシステムは、上記ユーザの接続時間を把握する請求項１０記載のネットワークシステム。
【請求項１２】
上記ＲＡＤＩＵＳシステムは、上記ユーザの送信データ量を把握する請求項１０又は１１記載のネットワークシステム。
【請求項１３】
上記アカウンティングデータベースは、上記ユーザが接続を切断すると更新するよう構成される請求項１０乃至１２のうちいずれか一項記載のネットワークシステム。
【請求項１４】
上記アカウンティングデータベースは、所定の時間間隔で更新されるよう構成され、それにより、長い継続時間の接続セッションに適応する請求項１０乃至１３のうちいずれか一項記載のネットワークシステム。
【請求項１５】
上記ＲＡＤＩＵＳシステムは、上記ネットワークシステムのネットワークコントローラから情報を受信するよう構成される請求項１０乃至１４のうちいずれか一項記載のネットワークシステム。
【請求項１６】
上記ＲＡＤＩＵＳシステムは、上記ネットワークコントローラにおけるＲＡＤＩＵＳクライアントを含む請求項１５記載のネットワークシステム。
【請求項１７】
上記ネットワークシステムは、セルラーワイヤレスインターネットアクセスシステムである請求項１０乃至１６のうちいずれか一項記載のネットワークシステム。
【請求項１８】
上記ネットワークシステムは、ＵＭＴＳシステムである請求項１０乃至１７のうちいずれか一項記載のネットワークシステム。
【請求項１９】
ワイヤレスアクセスネットワークに使用するＲＡＤＩＵＳシステムであって、
ＲＡＤＩＵＳサーバと、
関連付けられるＲＡＤＩＵＳアカウンティング機能とを含み、
上記ＲＡＤＩＵＳサーバは、ユーザがワイヤレスユーザ装置及び上記ＲＡＤＩＵＳサーバを介して上記ネットワークにアクセスするアクセス活動を把握し、上記ＲＡＤＩＵＳアカウンティング機能に関連付けられるアカウンティングデータベースにそのような活動を記録するよう構成されるシステム。
【請求項２０】
上記ネットワークシステムのネットワークコントローラに設けられるＲＡＤＩＵＳクライアントを更に含む請求項１９記載のＲＡＤＩＵＳシステム。
【請求項２１】
ワイヤレスアクセスネットワークシステムに使用するネットワークコントローラであって、
上記ネットワークコントローラは、ＲＡＤＩＵＳサーバと共に使用し、ユーザの上記ネットワークへのアクセスを計上するＲＡＤＩＵＳクライアントを有するコントローラ。
【請求項２２】
請求項１乃至９のうちいずれか一項記載のワイヤレスアクセスネットワークシステムにおける動作方法を実行するコンピュータプログラム手段を含むコンピュータプログラムエレメント。
【請求項２３】
ＲＡＤＩＵＳ（リモート・ダイアルイン・ユーザ認証システム）を使用するセルラーワイヤレスインターネットアクセスシステムを動作する方法であって、上記ＲＡＤＩＵＳは通常、ＰＳＴＮ（公衆電話交換網）を介するダイアルアップ式インターネットアクセスの認証及びアカウンティングに使用され、ここでは、ユーザは直接取付けられるアンテナを有するポータブル加入者端末を使用して、集中ネットワークコントローラ、及び、続けて対象のインターネットサービスプロバイダ（ＩＳＰ）と、セルラネットワークを介しワイヤレス形式で通信し、
ワイヤレスアクセスネットワークオペレータに、ＲＡＤＩＵＳサーバ及び関連付けられるＲＡＤＩＵＳアカウンティング機能が設けられ、
上記ＲＡＤＩＵＳサーバとアクセスを交渉するために、加入者端末にセルラーワイヤレスネットワーク及び集中ネットワークコントローラとを介するリンクを供給する段階と、
上記ＲＡＤＩＵＳサーバによりアクセスが認可されると、上記ＲＡＤＩＵＳアカウンティング機能によって上記加入者端末の上記ワイヤレスインターネットアクセスシステムへの接続時間を把握し、送信データ量の記録及び上記加入者端末の接続時間の記録を上記ＲＡＤＩＵＳサーバに接続されるアカウンティングデータベースで管理し、上記加入者端末が上記ＩＳＰから切断すると接続が切断される段階とを含む方法。
【請求項２４】
アカウンティング要求が、上記集中ネットワークコントローラから上記ＲＡＤＩＵＳサーバへ所定の時間間隔で送られ、それにより、長い継続時間の接続セッションに適応する請求項２３記載の方法。
【発明の詳細な説明】
【０００１】
［関連出願］
２０００年７月２７日に出願された「ＵＳＥ ＯＦ ＩＮＴＥＲＮＥＴ ＷＥＢ ＴＥＣＨＮＯＬＯＧＹ ＴＯ ＲＥＧＩＳＴＥＲ ＷＩＲＥＬＥＳＳ ＡＣＣＥＳＳ ＣＵＳＴＯＭＥＲＳ」なる名称の米国特許出願番号０９／６２６，６９９、及び、２０００年７月２７日に出願された「ＵＳＥ ＯＦ ＲＡＤＩＵＳ ＩＮ ＵＭＴＳ ＴＯ ＰＥＲＦＯＲＭ ＨＬＲ ＦＵＮＣＴＩＯＮ ＡＮＤ ＦＯＲ ＲＯＡＭＩＮＧ」なる名称の米国特許出願番号０９／６２６，７００。これらは共に、１９９９年１１月２日に出願された「ＣＥＬＬＵＬＡＲ ＷＩＲＥＬＥＳＳ ＩＮＴＥＲＮＥＴ ＡＣＣＥＳＳ ＳＹＳＴＥＭ ＵＳＩＮＧ ＳＰＲＥＤ ＳＰＥＣＴＲＵＭ ＡＮＤ ＩＮＴＥＲＮＥＴ ＰＲＯＴＯＣＯＬ （ＩＰ）」なる名称の米国特許出願番号０９／４３２，８２４の一部継続出願であり、欧州特許公開ＥＰ１０９８５３９と同じ形式で公開された。
【０００２】
［序文］
本発明は、ワイヤレスインターネットアクセスネットワークにおけるアカウンティング機能を行うインターネットウェブ技術の使用に関する。
【０００３】
［発明の背景］
１９９９年１１月２日に出願された「ＣＥＬＬＵＬＡＲ ＷＩＲＥＬＥＳＳ ＩＮＴＥＲＮＥＴ ＡＣＣＥＳＳ ＳＹＳＴＥＭ ＵＳＩＮＧ ＳＰＲＥＤ ＳＰＥＣＴＲＵＭ ＡＮＤ ＩＮＴＥＲＮＥＴ ＰＲＯＴＯＣＯＬ （ＩＰ）」なる名称の米国特許出願番号０９／４３２，８２４に開示されるように、２ギガヘルツ又は他の周波数帯域で動作し、固定又はポータブル可能なワイヤレスインターネット装置に対し高いデータ転送速度を供給するセルラーワイヤレスインターネットアクセスシステムが説明される。このようなユーザは、付近の基地局に接続し、基地局は次に集中ネットワークコントローラ（Ｉｎｔｅｇｒａｔｅｄ Ｎｅｔｗｏｒｋ Ｃｏｎｔｒｏｌｌｅｒ）に通信し、コントローラは次にインターネットに接続する。このようなワイヤレス実施は、ＵＭＴＳ（ユニバーサル移動通信サービス：Ｕｎｉｖｅｒｓａｌ Ｍｏｂｉｌｅ Ｔｅｌｅｐｈｏｎｅ Ｓｅｒｖｉｃｅ）形式及びそのサブセットであるＵＴＲＡＮ（ユニバーサル地上無線アクセスネットワーク：Ｕｎｉｖｅｒｓａｌ Ｔｅｒｒｅｓｔｒｉａｌ Ｒａｄｉｏ Ａｃｃｅｓｓ Ｎｅｔｗｏｒｋ）規格のアクセスネットワークに関する。ＵＭＴＳ／ＵＴＲＡＮ規格は、３Ｇプロジェクトパートナーシップ（３ＧＰＰ）、ｗｗｗ．３ｇｐｐ．ｏｒｇによって公開される。
【０００４】
どの通信アクセスシステムにおいても、有線又は無線に関わらず、顧客の使用率の記録及び請求書作成・発行目的のために何らかの種類の中央管理されたアカウティング機能が必要である。インターネットへのアクセスが、公衆交換電話網（ＰＳＴＮ）を介する場合、ＲＡＤＩＵＳシステムはこのようなアカウンティング機能をサポートする。ＲＡＤＩＵＳの解説は、１９９７年の４月のＣ． Ｒｉｇｎｅｙ外による「ＲＦＣ２１３８ Ｒｅｍｏｔｅ Ａｕｔｈｅｎｔｉｃａｔｉｏｎ Ｄｉａｌ−Ｉｎ Ｕｓｅｒ Ｓｅｒｖｉｃｅ （ＲＡＤＩＵＳ）」に記載され、これは、ｗｗｗ．ｉｅｔｆ．ｏｒｇのウェブサイトにて入手可能である。しかし、今までのところ、このシステムは公衆交換電話網アクセスだけに使用されている。
【０００５】
インターネットサービスに対しアカウンティング情報を生成する従来のモバイル通信技術は、上述の同時係属出願０９／４３２，８２４に記載されるワイヤレスアクセスシステムの全ての面を充分にサポートしない場合がある。
【０００６】
従って、上述の不利点が軽減された、ワイヤレスアクセスシステムにおけるアカウンティング機能の遂行を可能にする必要がある。
【０００７】
［発明の概要］
本発明の第１の面では、請求項１に記載されるようなワイヤレスアクセスネットワークシステムにおける動作方法が提供される。
【０００８】
本発明の第２の面では、請求項１０に記載されるようなワイヤレスアクセスネットワークシステムが提供される。
【０００９】
本発明の第３の面では、請求項１９に記載されるようなワイヤレスアクセスネットワークシステムに使用するＲＡＤＩＵＳシステムが提供される。
【００１０】
本発明の第４の面では、請求項２１に記載されるようなワイヤレスアクセスネットワークシステムに使用するネットワークコントローラが提供される。
【００１１】
本発明の第５の面では、請求項２２に記載されるようなワイヤレスアクセスネットワークシステムで動作する方法を実行するコンピュータプログラム手段を含むコンピュータプログラムエレメントが提供される。
【００１２】
本発明の好適な形態では、ＲＡＤＩＵＳ（リモート・ダイアルイン・ユーザ認証システム）を使用するセルラーワイヤレスインターネットアクセスシステムを動作する方法が提供され、ＲＡＤＩＵＳは通常、ＰＳＴＮ（公衆電話交換網）を介するダイアルアップ式インターネットアクセスの認証及びアカウンティングに使用され、ここでは、ユーザは直接取付けられるアンテナを有するポータブル加入者端末を使用して、集中ネットワークコントローラ、及び、続けて対象のインターネットサービスプロバイダ（ＩＳＰ）と、セルラネットワークを介しワイヤレス形式で通信する。この方法は、ワイヤレスインターネットアクセスネットワークオペレータがそのＲＡＤＩＵＳサーバ内にＲＡＤＩＵＳアカウンティング機能を設けることに関するステップを含む。加入者端末はワイヤレスネットワークを介し集中ネットワークコントローラに接続され、ＲＡＤＩＵＳサーバと、アクセスを交渉する。ＲＡＤＩＵＳサーバによってアクセス承認が認可されると、加入者はインターネットに接続可能にされ、ＲＡＤＩＵＳサーバ内のＲＡＤＩＵＳアカウンティング機能は、加入者端末のネットワークへの接続時間、送信データ量、加入者端末の接続記録、及び、加入者セッションに関連する他の詳細を把握し、ＲＡＤＩＵＳサーバに接続されるアカウンティングデータベースに記録する。加入者端末がワイヤレスネットワークへの接続を切断すると、この切断も記録される。
【００１３】
［好適な実施例の詳細な説明］
図１を参照するに、２つの一般的なインターネットアクセスシステムのユーザ２１、２２を示す。各ワイヤレスアクセスユーザは、パーソナルコンピュータＰＣ及びＵＭＴＳユーザ装置（ＵＥ）２１´、２２´を有し、ＵＭＴＳユーザ装置は、直接取付けられるアンテナ２０を有し、ＲＳ２３２、ＵＳＢ、又は、インターネットといった一般的なデータ接続によってＰＣに接続される。ユーザ装置をポータブル加入者端末と称し、ユーザ装置はその関連のＰＣと共に動作する。
【００１４】
ワイヤレスアクセスユーザは、上述の同時係属出願において、ＵＭＴＳ／ＵＴＲＡＮシステムの一部として説明され、ＵＴＲＡＮネットワーク２３を介し、集中ネットワークコントローラ２４にワイヤレス方式で通信する技術は、上述の同時係属出願に説明される。このようなコントローラは、インターネットシステム又はウェブ３１に有線又は無線で接続され得る。上述の同時係属出願に説明されるように、コントローラ２４は、ＲＮＣ（Ｒａｄｉｏ Ｎｅｔｗｏｒｋ Ｃｏｎｔｒｏｌｌｅｒ）、即ち、無線ネットワークコントローラ２６を含み、無線ネットワークリソースを制御且つ割当て、基地局と加入者端末との間に信頼度の高いユーザトラフィックの引渡しを供給する。ＳＧＳＮ（サービング汎用パケット無線サービスノード）２７はセッション制御を供給する。最後に、ＲＡＤＩＵＳクライアント２８であるＲＡＤＩＵＳエレメントが組込まれ、認証及びアカウンティングを供給する。インターネットプロトコルネットワーク３１は、インターネットプロトコル接続３２によってＩＮＣ２４に接続され、次に、アカウンティング機能４０が組込まれるＲＡＤＩＵＳサーバ３４を有するＵＭＴＳアクセスネットワークオペレータ３３に接続される。更に、指定された対象ＩＳＰ３６がある。全体的な視点から、ワイヤレスアクセスネットワークアカウンティングをサポートするＲＡＤＩＵＳアカウンティング機能４０は、ＵＭＴＳ／ＵＴＲＡＮ規格によるセルラーモバイルネットワークに通常使用されるような従来のアカウンティング機能及び関連のプロトコルに取って代わる。
【００１５】
ユーザがアクセスネットワークセッションを確立すると、このセッションに関連するアカウンティング情報は、ＳＧＳＮ２７内のＲＡＤＩＵＳクライアント２８によって記録される。各セッションのアカウンティング情報は、接続時間、モバイルユーザから送受信されるデータ量、及び、加入者及び加入者が接続するＩＳＰに関連する他の情報も含む。この情報は、標準的なＲＡＤＩＳＵアカウンティングメッセージを用いて、ＲＡＤＩＵＳサーバ３４内のＲＡＤＩＵＳアカウンティング機能４０へ送られる。
【００１６】
尚、上述したアカウンティング機能は、プロセッサ（図示せず）上で実行されるコンピュータプログラム又はソフトウェア内のルーチン（他のシステム機能と同様に）として一般的に行われることを理解するものとする。
【００１７】
図２は、上述した内容を、ＳＧＳＮ２７内のＲＡＤＩＵＳクライアント２８と、ＲＡＤＩＵＳアカウンティング機能４０との間の情報交換として示す。最初の認証シーケンス４１では、ＲＡＤＩＵＳクライアント２８は、矢印４２に示すように、加入者２１又は２２のアクセスをＲＡＤＩＵＳサーバ３４に交渉する。矢印４３に示すように、アクセスの承認及びサービス（ａ ｔｉｅｒ ｏｆ ｓｅｒｖｉｃｅ）がある場合、ＲＡＤＩＵＳサーバは、ステップ４４において、この時点からユーザの接続時間を記録し始める。次に、ステップ４５において、矢印４６に示すように、アカウンティング要求がＲＡＤＩＵＳクライアント２８からＲＡＤＩＵＳアカウンティング機能４０に送られ、ＲＡＤＩＵＳアカウンティング機能は、送信データ及び他の必要な情報をＲＡＤＩＵＳアカウンティング機能のデータベースに記録し、矢印４７に示すように応答がある。このステップは、ステップ４８に示すように接続が切断されるまで間隔４６´、４６´´、４７´、及び、４７´´で繰り返し行われる。本願では、ＲＡＤＩＵＳサーバは、ステップ４９において、加入者のセッション中に収集された他の全ての情報と共に切断記録をそのアカウンティングデータベース内に記録する。これにより、全ての必要なアカウンティング機能が供給される。このようなアカウンティングメッセージは、設定可能な間隔でＲＡＤＩＵＳアカウンティング機能４０に転送される。この際、信頼度の高い引渡しを保証するＲＡＤＩＵＳプロトコルの通常のファシリティが使用される。従って、これにより、アカウンティング記録はセッションが進行中である間に生成され、本質的に、（従来のシステムとは対照的に）セッションが終了する後ではなくセッション進行中に潜在的に非常に長いインターネット接続を計上することが可能である。これは、電話システムの請求書作成・発送記録における長時間通話記録に類似する。セッションが終了すると、最終のアカウンティングメッセージがＲＡＤＩＵＳサーバに送信され、当該ワイヤレスアクセスネットワークセッションにおける全接続時間及び全送受信データが報告される。このように生成されるアカウンティング記録は、請求書作成・発送システムに続けて供給され、そこで調整され、ユーザへの請求書が作成され且つ発送される。
【００１８】
従って、ワイヤレスネットワーク用の改善されるアカウンティングシステムが提供される。
【図面の簡単な説明】
【図１】本発明を説明するインターネットシステムを示すブロック図である。
【図２】本発明の方法を説明する図である。
【図１】
2004505569.tif 000003
【図２】
2004505569.tif 000004
【国際公開パンフレット】
2004505569.tif 000005
2004505569.tif 000006
2004505569.tif 000007
2004505569.tif 000008
2004505569.tif 000009
2004505569.tif 000010
2004505569.tif 000011
2004505569.tif 000012
2004505569.tif 000013
2004505569.tif 000014
2004505569.tif 000015
2004505569.tif 000016
2004505569.tif 000017
2004505569.tif 000018
2004505569.tif 000019
2004505569.tif 000020
2004505569.tif 000021
【国際公開パンフレット（コレクトバージョン）】
2004505569.tif 000022
2004505569.tif 000023
【国際調査報告】
2004505569.tif 000024
2004505569.tif 000025
2004505569.tif 000026
2004505569.tif 000027